(57)【要約】本出願は表示装置におけるデータ電圧を補償する方法を開示した。前記方法は表示装置における複数の画素回路中の１つの画素回路に印加するデータ電圧を単独に補償するのに用いる。前記方法は複数の画素回路中の１つの画素回路における駆動トランジスタ閾値電圧を獲得するステップと、テスト電圧を駆動トランジスタのゲート電極に印加してセンシング・ラインを第１時間帯までに充電するのに用いることによって、センシング・ラインに関連する第１モニタ電圧を確定し、テスト電圧を閾値電圧と第１設定電圧の和に設定するステップと、第１モニタ電圧と閾値電圧に基づく複数の画素回路中の１つの画素回路に印加したデータ電圧を補償するステップとを備える。
2020519911.tif 000002
【特許請求の範囲】
【請求項１】
表示装置におけるデータ電圧を補償する方法であって、
前記表示装置はそれぞれ複数のサブ画素に関連する複数の画素回路を含み、且つ前記複数の画素回路中の各画素回路は少なくとも駆動トランジスタと、有機発光ダイオード（ＯＬＥＤ）と、前記駆動トランジスタ及び前記ＯＬＥＤと接続するセンシング・ラインを含み、前記方法は前記複数の画素回路中の１つの画素回路に印加するデータ電圧を単独に補償するのに用い、前記方法は、
前記複数の画素回路中の前記１つの画素回路における駆動トランジスタの閾値電圧を取得するステップと、
閾値電圧と第１設定電圧の和と設定したテスト電圧を前記駆動トランジスタのゲート電極に印加して、前記センシング・ラインを第１時間帯までに充電するのに用いることによって、前記センシング・ラインに関連する第１モニタ電圧を確定するステップと、
前記第１モニタ電圧と前記閾値電圧に基づき、前記複数の画素回路中の前記１つの画素回路に印加したデータ電圧を補償するステップとを備えることを特徴とする表示装置におけるデータ電圧を補償する方法。
【請求項２】
各自のＯＬＥＤに対応して駆動する同色の光を発する前記複数の画素回路中の複数の画素回路に対して、前記第１時間帯を同じ持続時間に設定し、且つ前記複数の画素回路中の各画素回路に対して、前記第１設定電圧を同じ電圧に設定することを特徴とする請求項１に記載の表示装置におけるデータ電圧を補償する方法。
【請求項３】
各自のＯＬＥＤに対応して駆動する同色の光を発する前記複数の画素回路中の複数の画素回路に対して、前記第１時間帯を同じ持続時間に設定し、又は前記複数の画素回路中の各画素回路に対して、前記第１設定電圧を同じ電圧に設定することを特徴とする請求項１に記載の表示装置におけるデータ電圧を補償する方法。
【請求項４】
前記駆動トランジスタの前記閾値電圧を取得するステップは、第２設定電圧を前記駆動トランジスタのゲート電極に印加して前記センシング・ラインを第２時間帯までに充電することによって前記センシング・ラインに関連する第２モニタ電圧を確定することを特徴とする請求項１に記載の表示装置におけるデータ電圧を補償する方法。
【請求項５】
前記閾値電圧は前記第２設定電圧と前記第２モニタ電圧との間の差分値に等しいことを確定することを特徴とする請求項４に記載の表示装置におけるデータ電圧を補償する方法。
【請求項６】
前記駆動トランジスタの閾値電圧を繰り返して取得及び第１テスト電圧を印加したうえトリガ条件に基づいて第１モニタ電圧を確定することによって、前記閾値電圧と前記第１モニタ電圧の更新値を取得し、前記更新値を利用して前記複数の画素回路中の前記１つの画素回路に印加したデータ電圧を補償することをさらに含むことを特徴とする請求項１に記載の表示装置におけるデータ電圧を補償する方法。
【請求項７】
前記トリガ条件は以下の条件、
重複を要求する制御指令を受信すること、
表示装置を作動させること、
表示装置において各nフレーム画像を表示する前の第１時刻、前記nは正の整数であること、
タイマで第１時間帯又は第２時間帯を計測する時の第２時刻、
から少なくとも１つを選択することを含むことを特徴とする請求項６に記載の表示装置におけるデータ電圧を補償する方法。
【請求項８】
前記データ電圧を補償することは、各自のＯＬＥＤに対応して駆動する同色の光を発する異なる画素回路中の異なる駆動トランジスタの異なる閾値電圧間の差異により、前記データ電圧に対して単独に第１調節を行い、且つ、各自のＯＬＥＤに対応して駆動する同色の光を発する異なる画素回路中の異なる駆動トランジスタの閾値電圧以外の異なる装置パラメータ間の差異により、前記データ電圧に対して単独に第２調節を行うことを特徴とする請求項１に記載の表示装置におけるデータ電圧を補償する方法。
【請求項９】
前記データ電圧を補償することは、前記複数の画素回路中の前記１つの画素回路に印加したデータ電圧を第１パラメータで割ってから第２パラメータを加え、補償後のデータ電圧を取得し、
前記第１パラメータは前記第１モニタ電圧の平方根割る第１定数に等しく、且つ前記第２パラメータは前記閾値電圧と第２定数の和に等しいことを含むことを特徴とする請求項１に記載の表示装置におけるデータ電圧を補償する方法。
【請求項１０】
表示装置を駆動する方法であって、
前記表示装置は複数の画素回路を含み、前記複数の画素回路中の各画素回路は駆動トランジスタと、有機発光ダイオード（ＯＬＥＤ）と、前記駆動トランジスタ及び前記ＯＬＥＤに接続するセンシング・ラインを含み、前記方法は、
テスト電圧を前記複数の画素回路中の１つの画素回路における駆動トランジスタのゲート電極に単独に印加するステップであって、前記テスト電圧は前記駆動トランジスタの閾値電圧と第１設定電圧の和である前記印加するステップと、
前記テスト電圧によって引き起こした電荷を通して前記駆動トランジスタの接続センシング・ラインに充電するステップと、
第１時間帯内で蓄積した電荷を変換することによって前記センシング・ラインに関連する第１モニタ電圧を取得するステップとを備え、
前記第１モニタ電圧と前記テスト電圧は前記１つの画素回路と単独に関連する１つまたは複数補償パラメータを導出するのに用い、且つそのＯＬＥＤの発光を制御することで表示するサブ画素の画像の画素回路に印加したデータ電圧を補償するのに用いることを含むことを特徴とする表示装置を駆動する方法。
【請求項１１】
同色の光を放射する用複数サブ画素中のいくつかのサブ画素に対応するいくつかの画素回路中の各画素回路に対して、前記第１時間帯を同じ持続時間に設定し、且つ前記複数の画素回路中の各画素回路に対して、前記第１設定電圧を同じ電圧に設定することを特徴とする請求項１０に記載の表示装置を駆動する方法。
【請求項１２】
同色の光を放射する用複数サブ画素中のいくつかのサブ画素に対応するいくつかの画素回路中の各画素回路に対して、前記第１時間帯を同じ持続時間に設定し、または前記複数の画素回路中の各画素回路に対して、前記第１設定電圧を同じ電圧に設定することを特徴とする請求項１０に記載の表示装置を駆動する方法。
【請求項１３】
第２設定電圧を前記画素回路における駆動トランジスタのゲート電極に印加するステップと、
前記第２設定電圧によって引き起こした電荷を通して前記駆動トランジスタに接続する前記センシング・ラインを充電するステップと、
第２時間帯内で蓄積した電荷を変換することによって前記センシング・ラインに関連する第２モニタ電圧を取得するステップとを備え、
前記第２モニタ電圧と前記第２設定電圧は前記駆動トランジスタに関連する閾値を導出するのに用いることを特徴とする請求項１０に記載の表示装置を駆動する方法。
【請求項１４】
トリガ条件が一旦満たされれば前記印加・充電・変換を行い、前記複数の画素回路中の各画素回路の前記第１モニタ電圧及び/又は前記第２モニタ電圧の更新値を取得することを特徴とする請求項１３に記載の表示装置を駆動する方法。
【請求項１５】
前記トリガ条件は以下の条件、
更新を請求する制御指令を受信すること、
表示装置を作動させること、
表示装置における各nフレーム画像を表示する前の第１時刻、前記nは正の整数であること、
プログラムタイミングサイクル開始後の第２時刻であること、から少なくとも１つを選択することを含むことを特徴とする請求項１４に記載の表示装置を駆動する方法。
【請求項１６】
表示装置のデータ電圧補償装置であって、
前記表示装置は複数の画素回路を含み、前記複数の画素回路中の各画素回路は駆動トランジスタ、有機発光ダイオードＯＬＥＤ（ＯＬＥＤ）及び前記駆動トランジスタ及び前記ＯＬＥＤに接続するセンシング・ラインを含み、前記補償装置は前記複数の画素回路中の各画素回路に接続する１つの補償回路を含み、その中、前記補償回路は、
前記複数の画素回路中の１つの画素回路における駆動トランジスタにそれぞれ関連する閾値電圧を取得することと、
テスト電圧を前記駆動トランジスタのゲート電極に印加して、前記センシング・ラインを第１時間帯までに充電することによって、前記センシング・ラインに関連する第１モニタ電圧を確定するステップであって、前記テスト電圧を前記閾値電圧と第１設定電圧の和に設定する前記確定するステップと、
前記第１モニタ電圧と前記閾値電圧に基づいて前記画素回路に印加したデータ電圧を補償するステップとを備えることを特徴とする表示装置のデータ電圧補償装置。
【請求項１７】
表示装置を駆動するのに用いる表示駆動装置であって、
前記表示装置は複数の画素回路を含み、前記複数の画素回路中の各画素回路は、駆動トランジスタと、有機発光ダイオード（ＯＬＥＤ）と、前記駆動トランジスタ及び前記ＯＬＥＤに接続するセンシング・ラインとを含み、前記表示駆動装置は前記複数の画素回路中の各画素に接続する１つの補償回路を含み、前記補償回路はモニタ回路を含み、
前記モニタ回路は、
前記複数の画素回路中の１つの画素回路の駆動トランジスタに接続する前記センシング・ライン中の、前記駆動トランジスタのゲート電極に印加するテスト電圧によって引き起こした電荷を検知し、
第１時間帯内に蓄積した電荷を読出電圧に変換し、前記読出電圧を画素回路の単独に関連する第１モニタ電圧にすることを特徴とする表示装置を駆動するのに用いる表示駆動装置。
【請求項１８】
請求項１６に記載の前記データ電圧補償装置と、請求項１７に記載の前記表示駆動装置とを備えることを特徴とする表示装置。
【請求項１９】
請求項１６に記載の前記データ電圧補償装置を備えることを特徴とする表示装置。
【請求項２０】
請求項１７に記載の前記表示駆動装置を備えることを特徴とする表示装置。
【発明の詳細な説明】
【技術分野】
【０００１】
本発明は表示分野に関し、特にデータ電圧補償方法、表示駆動方法、前記方法を実現するデータ補償装置及びその表示装置に関する。
【背景技術】
【０００２】
エレクトロルミネッセンス素子は自発光型の表示装置として用いることができ、利点が多くあり、例えば広視野角、高いコントラストと応答速度が速い。エレクトロルミネッセンス分野の発展に伴い、有機エレクトロルミネッセンス装置（例えば、有機発光ダイオード、Ｏｒｇａｎｉｃ Ｌｉｇｈｔ Ｅｍｉｔｔｉｎｇ Ｄｉｏｄｅ、ＯＬＥＤ）は、より優れた輝度、より低消費電力であること、より高速の応答速度及びより広範な色域を有し、このため従来の無機エレクトロルミネッセンス素子に対し主流の表示装置となった。
【発明の概要】
【発明が解決しようとする課題】
【０００３】
駆動ＯＬＥＤ発光の電流の駆動トランジスタを制御する閾値電圧にはドリフトの問題があるため、ＯＬＥＤの表示画質に影響している。多くの従来設計は内部補償や外部補償を使用して、少なくとも部分的に閾値電圧ドリフトを補償して表示パネル全体の表示画像の輝度均一性を向上させている。外部補償は画素回路構造を簡略化及び表示パネルを簡略化する製造プロセスの面においていくつかの利点を有し、また補償アルゴリズムを調整する際により最適な補償効果を実現するよう柔軟に調整されている。しかし、従来の外部補償アルゴリズムは１つサブ画素のデータ電圧を補償する方面においては依然として欠陥が存在し、均一性の表示を高める補償効果を規制している。
【課題を解決するための手段】
【０００４】
一態様によれば、本発明は補償表示装置におけるデータ電圧の方法を提供し、前記表示装置は複数サブ画素に関連する複数の画素回路をそれぞれ含み、且つ前記画素回路中の各画素回路は少なくとも駆動トランジスタと、有機発光ダイオード（ＯＬＥＤ）と、前記駆動トランジスタ及び前記ＯＬＥＤに接続するセンシング・ラインとを含み、前記方法は前記複数の画素回路中の１つの画素回路に印加するデータ電圧を単独に補償するのに用い、前記方法は、前記複数の画素回路中の前記１つの画素回路中の前記駆動トランジスタの閾値電圧を取得するステップと、テスト電圧を前記駆動トランジスタのゲート電極に印加して、前記センシング・ラインを第１時間帯までに充電するのに用いることによって、前記センシング・ラインに関連する第１モニタ電圧を確定し、前記テスト電圧を閾値電圧と第１設定電圧の総和に設定するステップと、また、前記方法は前記第１モニタ電圧と前記閾値電圧に基づき、前記複数の画素回路中の前記１つの画素回路に印加したデータ電圧を補償するステップとを備える。
【０００５】
好ましくは、各自のＯＬＥＤに対応して駆動する同色の光を発する前記複数の画素回路中の複数の画素回路に対して、前記第１時間帯を同じ持続時間に設定し、且つ前記複数の画素回路中の各画素回路に対して、前記第１設定電圧を同じ電圧に設定する。
【０００６】
好ましくは、各自のＯＬＥＤに対応して駆動する同色の光を発する前記複数の画素回路中の複数の画素回路に対して、前記第１時間帯を同じ持続時間に設定し、又は前記複数の画素回路中の各画素回路に対して、前記第１設定電圧を同じ電圧に設定する。
【０００７】
好ましくは、前記駆動トランジスタの前記閾値電圧を取得することは、第２設定電圧を前記駆動トランジスタのゲート電極に印加して前記センシング・ラインを第２時間帯までに充電することによって前記センシング・ラインに関連する第２モニタ電圧を確定する。
【０００８】
好ましくは、前記閾値電圧は前記第２設定電圧と前記第２モニタ電圧との間の差分値に等しいことを確定する。
【０００９】
好ましくは、前記方法は、前記駆動トランジスタの閾値電圧を繰り返して取得し、また、第１テスト電圧を印加したうえトリガ条件に基づいて第１モニタ電圧を確定することによって、前記閾値電圧と前記第１モニタ電圧の更新値を取得するステップと、前記更新値を利用して前記複数の画素回路中の前記１つの画素回路に印加したデータ電圧を補償するステップとをさらに備える。
【００１０】
好ましくは、前記トリガ条件は以下の条件、
重複を要求する制御指令を受信すること、表示装置を作動させること、表示装置において各nフレーム画像を表示する前の第１時刻、前記nは正の整数であること、タイマで第１時間帯又は第２時間帯を計測する時の第２時刻、から選出された少なくとも１つである。
【００１１】
好ましくは、前記データ電圧を補償することは、各自のＯＬＥＤに対応して駆動する同色の光を発する異なる画素回路中の異なる駆動トランジスタの異なる閾値電圧間の差異により、前記データ電圧に対して単独に第１調節を行い、且つ、各自のＯＬＥＤに対応して駆動する同色の光を発する異なる画素回路中の異なる駆動トランジスタの閾値電圧以外の異なる装置パラメータ間の差異により、前記データ電圧に対して単独に第２調節を行うことである。
【００１２】
好ましくは、前記データ電圧を補償することは、前記複数の画素回路中の前記１つの画素回路に印加したデータ電圧を第１パラメータで割ってから第２パラメータを加え、補償後のデータ電圧を取得し、前記第１パラメータは前記第１モニタ電圧の平方根割る第１定数に等しく、且つ前記第２パラメータは前記閾値電圧と第２定数の和に等しいことを含む。
【００１３】
他の１態様によれば、本発明は表示装置を駆動する方法を提供し、前記表示装置は複数の画素回路を含み、前記複数の画素回路中の各画素回路は、駆動トランジスタと、有機発光ダイオード（ＯＬＥＤ）と、前記駆動トランジスタ及び前記ＯＬＥＤに接続するセンシング・ラインとを含み、前記方法は、テスト電圧を前記複数の画素回路中の１つの画素回路における駆動トランジスタのゲート電極に単独に印加し、前記テスト電圧は前記駆動トランジスタの閾値電圧と第１設定電圧の和であるステップと、前記テスト電圧によって引き起こした電荷を通して前記駆動トランジスタの接続センシング・ラインに充電するステップと、第１時間帯内で蓄積した電荷を変換することによって前記センシング・ラインに関連する第１モニタ電圧を取得するステップとを備え、前記第１モニタ電圧と前記テスト電圧は前記画素回路と単独に関連する１つまたは複数補償パラメータを導出するのに用い、且つそのＯＬＥＤの発光を制御することで表示するサブ画素の画像の画素回路に印加したデータ電圧を補償する。
【００１４】
好ましくは、同色の光を放射する用複数サブ画素中のいくつかのサブ画素に対応するいくつかの画素回路中の各画素回路に対して、前記第１時間帯を同じ持続時間に設定し、且つ前記複数の画素回路中の複数の画素回路中の各画素回路に対して、前記第１設定電圧を同じ電圧に設定する。
【００１５】
好ましくは、同色の光を放射する用複数サブ画素中のいくつかのサブ画素に対応するいくつかの画素回路中の各画素回路に対して、前記第１時間帯を同じ持続時間に設定し、または前記複数の画素回路中の複数の画素回路中の各画素回路に対して、前記第１設定電圧を同じ電圧に設定する。
【００１６】
好ましくは、前記方法は、第２設定電圧を前記画素回路における駆動トランジスタのゲート電極に印加するステップと、前記第２設定電圧によって引き起こした電荷を通して前記駆動トランジスタに接続する前記センシング・ラインを充電するステップと、第２時間帯内で蓄積した電荷を変換することによって前記センシング・ラインに関連する第２モニタ電圧を取得するステップとをさらに備え、前記第２モニタ電圧と前記第２設定電圧は前記駆動トランジスタに関連する閾値を導出するのに用いる。
【００１７】
好ましくは、トリガ条件が満たされれば前記印加・充電・変換を行い、よって前記複数の画素回路中の各画素回路の前記第１モニタ電圧及び/又は前記第２モニタ電圧の更新値を取得する。
【００１８】
好ましくは、前記トリガ条件は以下の条件、更新を請求する制御指令を受信すること、表示装置を作動させること、表示装置における各nフレーム画像を表示する前の第１時刻、前記nは正の整数であること、プログラムタイミングサイクル開始後の第２時刻であること、から選出された少なくとも１つである。
【００１９】
他の１態様によれば、本発明は表示装置のデータ電圧補償装置を提供し、前記表示装置は複数の画素回路を含み、前記複数の画素回路中の各画素回路は、駆動トランジスタと、有機発光ダイオード（ＯＬＥＤ）と、前記駆動トランジスタ及び前記ＯＬＥＤに接続するセンシング・ラインとを含み、前記表示装置は、前記複数の画素回路中の各画素回路に接続する１つの補償回路を含み、前記補償回路は、前記複数の画素回路中の１つの画素回路における駆動トランジスタにそれぞれ関連する閾値電圧を取得し、テスト電圧を前記駆動トランジスタのゲート電極に印加して、前記センシング・ラインを第１時間帯までに充電することによって、前記センシング・ラインに関連する第１モニタ電圧を確定し、前記テスト電圧を前記閾値電圧と第１設定電圧の和に設定し、前記第１モニタ電圧と前記閾値電圧に基づいて前記画素回路に印加したデータ電圧を補償するように設定される。
【００２０】
他の１態様によれば、本発明は表示装置を駆動する表示駆動装置を提供し、前記表示装置は複数の画素回路を含み、前記複数の画素回路中の各画素回路は駆動トランジスタ、有機発光ダイオード（ＯＬＥＤ）及び前記駆動トランジスタ及び前記ＯＬＥＤに接続するセンシング・ラインを含み、前記表示駆動装置は前記複数の画素回路中の各画素に接続する１つの補償回路を含み、前記補償回路はモニタ回路を含み、前記モニタ回路は、前記複数の画素回路中の１つの画素回路の駆動トランジスタに接続する前記センシング・ライン中の、前記駆動トランジスタのゲート電極に印加するテスト電圧によって引き起こした電荷を検知するように設定され、第１時間帯内に蓄積した電荷を読出電圧に変換し、前記読出電圧を画素回路の単独に関連する第１モニタ電圧にするように設定される。
【００２１】
他の１態様によれば、本発明は表示装置を提供し、前記表示装置は本文に記載の前記データ信号補償装置と、本文に記載の前記表示駆動装置とを備える。
【００２２】
他の１態様によれば、本発明は表示装置を提供し、前記表示装置は、本文に記載の前記データ信号補償装置を備える。
【００２３】
他の１態様によれば、本発明は表示装置を提供し、前記表示装置は本文に記載の前記表示駆動装置を備える。
【図面の簡単な説明】
【００２４】
開示されている各種実施形態によれば、以下の図面は説明するための示す例であり、本発明の範囲を限定するものではない。
【図１】は本発明のいくつかの実施形態に係る補償表示装置中の画像の表示するデータ電圧の方法のフローチャートである。
【図２】は本発明のいくつかの実施形態に係る容量の充電時の電圧の時間による変化を示す模式図である。
【図３】は本発明の実施形態に係る画素回路の概略図である。
【図４】は本発明の実施形態の操作画素回路のタイミング図である。
【図５】は本発明のもう一つの実施形態に係る操作画素回路のタイミング図である。
【図６】は本発明のもう一つの実施形態に係る操作画素回路のタイミング図である。
【図７】は本発明のいくつかの実施形態に係る複数の画素回路に接続された補償装置/表示駆動装置の表示装置の模式的なブロック図である。
【発明を実施するための形態】
【００２５】
以下の実施形態を参照しながらより具体的に本発明について説明する。なお、説明の目的のためだけに以下のいくつかの実施形態を説明し、開示された正確な形態に限定されるものではない。
【００２６】
このため、本発明は特にデータ電圧補償方法、表示駆動方法、前記方法を実現するためのデータ補償装置及びその表示装置を提供する。それは、１つまたは複数の従来技術に係る制限と欠点を殆ど解消した。１態様によれば、本発明は表示装置におけるデータ電圧補償方法を提供する。
【００２７】
図１は本発明いくつかの実施形態に係る補償表示装置中の画像の表示するデータ電圧の方法のフローチャートである。
【００２８】
ここに、前記表示装置は共用する画像表示装置である。好ましくは、前記表示装置はそれぞれ複数サブ画素に関連する複数の画素回路を含む。前記複数の画素回路中の各画素回路は、少なくとも駆動トランジスタと、有機発光ダイオードＯＬＥＤ）と、前記駆動トランジスタ及び前記ＯＬＥＤに接続するセンシング・ラインとを含む。特に、前記ＯＬＥＤ単独のサブ画素と関連し且つ色付きの光を発するよう配置される。好ましくは、前記表示装置において、前記ＯＬＥＤから発せられた光が以下の赤色、イエロー、緑色、青色、紫色、ピンク色、茶色と白またはほかの色からいずれか１つを選択してよい。前記ＯＬＥＤから発せられた光の異なる色に基づき、前記複数の画素回路は互いに離間してよい。各画素回路中において、前記駆動トランジスタのゲート電極をデータ電圧に印加するのに用いて前記駆動トランジスタを駆動することによって以将前記駆動トランジスタのソースとドレインとを接続させ、前記センシング・ラインと前記ＯＬＥＤの発光を制御するのに用いる１つの電極と接続する。前記データ電圧は、以下説明する方法により補償されるように、前記表示装置を駆動することにより、表示画像の均一性を向上させることができる。
【００２９】
図１を参考すれば、前記表示装置における前記複数の画素回路中の各単独画素回路にデータ電圧補償を実施する方法である。１つの実施形態において、該方法は、前記複数の画素回路中の１つの画素回路における駆動トランジスタの閾値電圧を取得するステップを備える。該方法は、テスト電圧を前記駆動トランジスタのゲート電極に印加して、前記センシング・ラインを第１時間帯までに充電するのに用いることによって、前記センシング・ラインに関連する第１モニタ電圧を確定するステップをさらに備える。前記テスト電圧を閾値電圧と第１設定電圧の総和に設定する。また、前記方法は、前記第１モニタ電圧と前記閾値電圧に基づく前記複数の画素回路中の前記１つの画素回路に印加したデータ電圧を補償するステップを備える。
【００３０】
データ電圧補償方法の応用の１つとして、各単独の画素回路に印加するデータ電圧は、該データ電圧が対応する駆動トランジスタのゲート電極に印加される前に補償される。該データ電圧は所定の画素回路に対して具体的に補償を行う。補償後、該データ電圧を最初に意図した同一画素回路に印加する。異なる画素回路はその駆動トランジスタの異なる閾値電圧、及び異なる第１モニタ電圧に対応することができる。１つの画素回路に関連する補償過程は少なくともいくつかの独立したほかの画素回路の算出のための算出を含む。しかし、単独の補償は異なる画素回路に行う異なるデータ電圧補償が必ず時間および過程に離間して行うことを意味するものではない。逆に、該方法は各画素回路に関連する第１モニタ電圧を１つの過程によって同時に得ることができる。好ましくは、同一プロセッサを用いて複数の画素回路に対応する複数データ電圧の補償を並列して行うことができる。
【００３１】
好ましくは、図１におけるデータ電圧の補償方法を行うプロセッサはデータ駆動器、タイミングコントローラ（ＴＣＯＮ）、少なくとも部分計算できるロジック回路、表示装置に設けたプロセッサ、表示装置に接続する外部装置中に設けたプロセッサ等であってもよい。好ましくは、前記表示装置は以下項目のいずれかである表示パネル、スマートフォン、タブレット型コンピュータ、テレビ、表示機器、ノートパソコン、デジタルフォトフレーム、ナビゲーションや何れかの表示機能を有する製品や部品であってもよい。好ましくは、前記プロセッサは専用集積回路（ＡＳＩＣ）、デジタル信号プロセッサ（ＤＳＰ）、デジタル信号処理装置（ＤＳＰＤ）、プログラマブル・ロジック・デバイス（ＰＬＤ）、フィールド・プログラマブル・ゲート電極・アレイ（ＦＰＧＡ）、中央処理ユニット（ＣＰＵ）、コントローラ、マイクロコントローラなどとして実現されてもよい。好ましくは、いくつかの組み込みプログラムを持つ読み取り可能な記憶媒体が上記プロセッサと協働することで本発明のいくつかの実施形態に係るデータ電圧補償方法を実行する。
【００３２】
好ましくは、駆動トランジスタの閾値電圧を取得する方法は、記憶媒体（工場出荷時の設定、ユーザ設定やテストの結果等）から読み取り、画素回路モニタで取得し、又は外部装置からの受信で得る、等であってもよい。
【００３３】
好ましくは、画素回路に関連する第１モニタ電圧を取得する方法は記憶媒体から読み取り、画素回路モニタで取得し、又は外部装置からの受信で得る、であってもよい。特別の設計で該方法を実行に用いるマスタプロセッサエンティティは第１モニタ電圧の値を導出できる。前記第１モニタ電圧の値はテスト電圧を駆動トランジスタのゲート電極に印加した後、第１時間帯内にセンシング・ラインに充電用充電電圧から取得したのである。あるいは、先ずはほかのプロセッサエンティティから第１モニタ電圧の値を取得してからそれをマスタプロセッサエンティティに送信してもよい。第１モニタ電圧の値を取得するプロセスはいずれの時間において第１モニタ電圧と閾値電圧に基づいて複数の画素回路中の１つの画素回路に印加しようとするデータ電圧を補償する方法と組み合わせて実行できる。
【００３４】
図１を参照すれば、テスト電圧は閾値電圧Vthと第１設定電圧V0の和に設定される。それから、駆動トランジスタのゲート電極に該テスト電圧が印加される際、駆動トランジスタのドレイン・ソース電流IDSは（仮定センシング・ライン上の参考電圧は０Vである）
【００３５】
【数１】
2020519911.tif 000003
【００３６】
と表示される。
【００３７】
式から明らかなように、電流IDSと閾値電圧Ｖthの値は無関係で、第１設定電圧Ｖ0（既知の値）とパラメータＫの値だけに依存する。センシング・ラインは駆動トランジスタと有機発光ダイオード（ＯＬＥＤ）に接続する。ＯＬＥＤの非発光状態が保持される（例えば、逆方向バイアス）際、ドレイン・ソース電流ＩDSを利用してセンシング・ラインに充電してもよい。この時センシング・ラインは容量の一端として使用される。充電時間が（例えば第１時間帯）結構短い場合、すでに充電したセンシング・ラインの電圧の値はドレイン・ソース電流IDSとは正の相関関係にある。図２に示された通り、異なる充電電流は同様時間帯において（水平方向の座標）同様の容量を異なる電圧に充電した（垂直方向の座標）後、Ｔｃの所で充電を停止する。該プロセスにおいて、異なる充電電流が電圧の上昇するレートに異なる影響を与える。Ｔｃの所で停止した同様の時間帯を用いて同様の容量に充電を行う際、最終的な高い電圧値U１は印加した比較的大きい充電電流に対応し、最終的なより低い電圧値U２は比較的低い充電電流に対応する。したがって、ある程度、センシング・ラインの充電電圧に係る第１モニタ電圧の値はドレイン・ソース電流ＩDSと比例したＫ値を反映することができる。パラメータＫは以下のように表示することができる。
【００３８】
【数２】
2020519911.tif 000004
【００３９】
ここで、Ｋは駆動トランジスタのチャンネル幅Ｗ、チャンネルの長さＬに依存し、さらにキャリア移動度μおよびゲート電極絶縁層の単位面積あたりの容量Coxと関連するパラメータに依存する。したがって、異なる画素回路中異なる駆動トランジスタの異なる第１モニタ電圧の値は、異なる駆動トランジスタのK値の差異を反映できる。本発明の方法によって取得した第１モニタ電圧は駆動トランジスタ監視用のもう１つのパラメータを提供する。好ましくは、第１モニタ電圧を利用して、対応して駆動されるその各自のＯＬＥＤの同色の光を発する異なる画素回路中の異なる駆動トランジスタＫ値の差異をさらに正確に反映するため、好ましくは、対応して駆動されるその各自のＯＬＥＤの同色の光を発する複数の画素回路中の複数の画素回路中の各画素回路に対して、センシング・ラインに充電用の第１時間帯を同じ持続時間に設定する。同時に、好ましくは、対応して駆動されるその各自のＯＬＥＤの同色の光を発する複数の画素回路中の複数の画素回路中の各画素回路に対して、第１設定電圧Ｖ0を同じ電圧に設定する。または１つ代わりの実施形態において、対応して駆動されるその各自のＯＬＥＤの同色の光を発する複数の画素回路中の複数の画素回路中の各画素回路に対して、上記の２つのパラメータ（即ち、センシング・ラインに充電用の的第１時間帯と第１設定電圧Ｖ0）中の１つのみ設定する。対応して駆動されるその各自のＯＬＥＤの異色の光を発する複数の画素回路に対して、第１時間帯と第１設定電圧の設定は具体的な適応によって任意なものであってよい。
【００４０】
好ましくは、補償データ電圧の方法は、同じデータ電圧を対応して駆動されるその各自のＯＬＥＤの同色の光を発する異なる画素回路にあるすべての駆動トランジスタに印加する時、該当するＯＬＥＤに一致の駆動電流を提供することを含む。異なる画素回路中の異なるＯＬＥＤの駆動電流の変化は主にこれらの画素回路中の異なる駆動トランジスタ間の変化によるものなので、本発明の方法に基づいて取得した閾値電圧の値は駆動トランジスタの閾値電圧の変化を独立して反映できる。該方法に基づいて取得した閾値電圧の値は駆動トランジスタの閾値電圧変化により引き起こした駆動電流の偏差を正確に近い補償することができる。同時に、本発明の方法に基づいて取得した第１モニタ電圧の値は駆動トランジスタのほかのパラメータ（閾値電圧以外）の変化により引き起こした駆動電流の偏差を補償できる。もちろん、これらの補償は同色の光を発する画素回路に設定されることが実現できるだけでなく、そのうえ、同じ方法に基づいて異色の光を発する画素回路に設定されるのに用いられる。
【００４１】
もう一方、本発明は表示装置を駆動する方法を提供する。該表示装置は複数の画素回路を含む。前記複数の画素回路中の各画素回路は、駆動トランジスタと、有機発光ダイオード（ＯＬＥＤ）と、前記駆動トランジスタ及び前記ＯＬＥＤに接続するセンシング・ラインとを含む。該方法は、テスト電圧を前記複数の画素回路中の１つの画素回路における駆動トランジスタのゲート電極に単独に印加するステップを備える。前記テスト電圧は前記駆動トランジスタ閾値電圧と第１設定電圧の和である。該方法は、前記テスト電圧により引き起こした電荷を通して前記駆動トランジスタと接続するセンシング・ラインに充電するステップをさらに備える。また、該方法は、第１時間帯内で蓄積した電荷を変換することによって前記センシング・ラインに関連する第１モニタ電圧を取得するステップを備える。前記第１モニタ電圧と前記テスト電圧は前記画素回路と単独に関連する１つまたは複数補償パラメータを導出するのに用い、且つそのＯＬＥＤの発光を制御することで表示する所望の輝度のあるサブ画素の画像の画素回路に印加したデータ電圧を補償するのに用いる。
【００４２】
図３は本発明の実施形態に係る画素回路の概略図である。図３は上記開示された方法で駆動する表示装置における画素回路の一例を示した。図３における画素回路は、駆動トランジスタＴ０と、第１トランジスタＴ１と、第２トランジスタＴ２と、メモリ容量Ｃ１と、有機発光ダイオードＤ１とを含む。
【００４３】
第１トランジスタＴ１は第１行走査線Ｅ１に接続するゲート電極と、データ線ＤＬに接続する第１極と、駆動トランジスタのゲート電極に接続する第２極とを含む。第１トランジスタＴ１は、第１行走査線Ｅ１の電圧信号の制御で、データ線ＤＬを駆動トランジスタＴ０のゲート電極に接続するまたはデータ線と駆動トランジスタＴ０のゲート電極との接続をオフにするように構成される。第２トランジスタＴ２は第２行走査線Ｅ２に接続するゲート電極、駆動トランジスタＴ０の第２極と有機発光ダイオードＤ１の第１極に接続する第１極、及びセンシング・ラインＳＬに接続する第２極を含む。第２トランジスタＴ２は第２行走査線Ｅ２の電圧信号の制御の下、駆動トランジスタＴ０の第２極をセンシング・ラインＳＬに接続するまたは駆動トランジスタＴ０の第２極とセンシング・ラインＳＬとの接続をオフにするように構成される。メモリ容量Ｃ１は駆動トランジスタＴ０のゲート電極と第２極の間に設定され、且つ画素回路に印加するデータ電圧を記憶するように構成される。メモリ容量Ｃ１はさらに電圧のブートストラップ効果を利用してゲート電極と第２極をクランプするように構成される。
【００４４】
また、駆動トランジスタＴ０の第１極をバイアス電圧線ＶＤＤに接続する。有機発光ダイオードＤ１の第２極を参考電圧線Vssに接続する。好ましくは、上記各トランジスタの第１極と第２極はその中のソースまたはドレインに対称的に配置することができる。好ましくは、特定のトランジスタのタイプに基づき、ソースとドレインを対応する第１極または第２極に設定して対応する電流方向にマッチングすることができる。
【００４５】
１つの実施形態において、表示装置は複数行と複数列をもって配列された複数の画素回路を含む。各１行の画素回路は同じ１（第１）行の走査線Ｅ１の行と同じ１（第２）行の走査線Ｅ２を共用する。各１列画素回路は同じセンシング・ラインＳＬと同じデータ線ＤＬを共用する。したがって、その行/列アドレスに基づいて、画素回路にデータ電圧を印加するプロセス、データ電圧を補償するプロセス、及び配列中の特定画素回路のデータ補償パラメータを監視するプロセスの中の少なくとも１つを行うことができる。
【００４６】
従来、データ電圧の補償は以下のプロセスに従って行われる。画素回路の発光輝度によって目標電圧値を設定し、すでに充電したセンシング・ラインから読出した電圧値と該目標電圧値との間の電圧差を取得し、該電圧差をフィードバックパラメータとしてデータ電圧を調整し、及びセンシング・ラインから読出した電圧値を時間の経過に伴って目標電圧レベルに近付かせ、よって、画素回路にあらかじめ設定した発光輝度で発光させる。実際には、センシング・ラインから読出した電圧値が目標電圧値に到達するまでに時間がかかり、しかし、この時間を短縮すると補償効果が小さくなる。また、一部の発光輝度に用いる（特に低階調発光輝度）目標電圧値は、ほかの発光輝度に用いるほかの目標電圧値を使って算出する必要があり、ほかの発光輝度は一般的に実際の電圧値を逸脱しており且つ補償効果に劣る。
【００４７】
本発明の実施形態において、複数の画素回路中の各画素回路と関連する単独のデータ補償パラメータを監視することを通して表示装置を駆動する方法は駆動トランジスタのゲート電極に印加する第１時間帯までの検知電圧が引き起こした充電したセンサの電圧値を検知し、且つ該センシング・ラインの電圧値を読み取って第１モニタ電圧にすることを含む。
【００４８】
図３に示された表示装置に１つの画素回路を有し、該表示装置を駆動する方法としては、第１行走査線Ｅ１と第２行走査線Ｅ２の電圧信号を利用してそれぞれ第１トランジスタＴ１と第２トランジスタＴ２を導通し、データ線ＤＬを通してテスト電圧を駆動トランジスタＴ０のゲート電極に印加することを含む。そして、方法は、１つの時刻から、センシング・ラインをフローティング（Floating）状態に設定し、バイアス電圧線ＶＤＤを流れ駆動トランジスタＴ０の第１極と第２極、さらに第２トランジスタＴ２の第１極と第２極を通過する電流に生成してセンシング・ラインＳＬに充電することを含む。該時刻からカウントする第１時間帯の後、該方法はさらに第２行走査線Ｅ２の電圧信号を制御して第２トランジスタＴ２をオフにし、充電したセンシング・ラインの電圧値が第１モニタ電圧として読み出される。
【００４９】
図４は本発明の実施形態における操作図３の画素回路によるタイミング図である。図３と図４は、第１時刻Ｔ１に、第１行走査線Ｅ１が高電圧信号を印加されて第１トランジスタＴ１を導通し、且つ第２行走査線Ｅ２も高電圧信号を印加されて第２トランジスタＴ２導通する。同時に、データ線ＤＬはテスト電圧を印加される。該時刻Ｔ１から、メモリ容量Ｃ１の２つの極をテスト電圧にイコール電圧差に書き込み、この電圧差を記憶する。第２時刻Ｔ２において、第１行走査線Ｅ１を印加する低電圧信号に変えられて且つデータ線ＤＬがテスト電圧の印加を停止する際、駆動トランジスタＴ０のゲート電極はフローティング状態になる。（他の実施形態では、第２時刻Ｔ２はデータ線がテスト電圧の印加を停止する時刻または第１行走査線Ｅ１上の第１トランジスタＴ１の電圧レベル導通を電圧レベルオフの時刻に設定される）。Ｔ２から、メモリ容量Ｃ１の電荷効果を維持しているため、Ｃ１の２つの極は継続して電圧差がテスト電圧にイコールとなるように維持され、よってセンシング・ラインがフローティング状態に設定される際Ｔ２からセンシング・ラインに充電できる。電流ＩDSは駆動トランジスタＴ０の閾値電圧Vthと関係なく一定値を保つ。充電の継続に伴って、センシング・ライン上の電圧値は第２行走査線Ｅ２が低電圧信号に切り替えた第三時刻ｔ３にまで一定の速度で上昇する。
【００５０】
図４から明らかなように、読み取ったセンシング・ラインＳＬ上の電圧値はＴ２からt３までの第１時間帯（即ち、ｔ３-ｔ２）とほぼ一定値のＩDSの積に等しい第１モニタ電圧である。したがって、第１モニタ電圧と駆動トランジスタＴ０の閾値電圧Vthと関係ないことで、駆動トランジスタＴ０と関連するパラメータＫの値を反映させることができる。該実施形態では、第１時間帯の長さはＴ２の設定及び/又はｔ３の設定を通して設けられる。センシング・ラインの寄生容量が早期に満たされることによって第１モニタ電圧の値でパラメータＫの値を正確に反映できないことを回避するため、センシング・ラインＳＬの寄生容量の値に基づいて第１時間帯を設定できる。したがって、第３時刻ｔ３の前に、読み取ったセンシング・ラインの電圧値は依然として一定の速度で上昇する。
【００５１】
図５は本発明のもう１つの実施形態における操作画素回路によるタイミング図である。参考図５は、操作画素回路のタイミングが変化する。第２時刻Ｔ２と第三時刻ｔ３の間のいずれかの時間において、第１行走査線Ｅ１は第１トランジスタＴ１の導通用電圧レベルを維持する。該時間帯内において、データ線ＤＬはテスト電圧を印加される。図４に示される実施形態と異なり、メモリ容量Ｃ１の２つの極の間の電圧差はＴ２とｔ３間の時間帯区間中に変化する。該時間帯が十分長ければ、センシング・ラインＳＬから読み取った電圧値は開始時に速い速度で上昇した後遅い速度で徐々に上昇する。時間帯が十分に短く設定することによって、センシング・ラインから読み取った電圧値は依然としてほぼ一定の速度で上昇できると考えられる。これにより、第１モニタ電圧を取得でき、且つ第１検出電圧は駆動トランジスタＴ０と関連するパラメータＫの値を依然として反映されると考えられる。
【００５２】
従来、一歩計算を利用することでデータ電圧の補償方法を行える。従来の補償プランにおける目標電圧値に徐々に到達すること比べて、データ電圧の補償を実現するのにかかる時間が著しく低減できる。低発光輝度サブ画素の実電圧レベルの大きな偏りに起因する補償効果が劣るいくつかの欠点を克服している。本発明の方法における多くの優位性は明細書全体及び特には以下のような内容に含まれている。
【００５３】
１つの実施形態おいては、駆動トランジスタの閾値電圧を取得する方法は第２モニタ電圧と第２設定電圧の値から取得できる。特に、第２設定電圧が駆動トランジスタのゲート電極に印加される際、第２モニタ電圧は充電された第２時間帯のセンシング・ラインから読み取った電圧値である。第２設定電圧と第２モニタ電圧は駆動トランジスタの閾値電圧を算出に用いる。データ電圧補償パラメータの監視プロセスは第１モニタ電圧を取得するプロセスと第２モニタ電圧を取得するプロセスを含むことができる。該実施形態においては、第２設定電圧と第２モニタ電圧間の差分値によって閾値電圧を取得することができる。
【００５４】
好ましくは、該プロセスはデータ電圧補償用のマスタプロセッサエンティティによって行われる。または可以由将読み取った値の情報をマスタプロセッサエンティティに送信してデータ電圧補償のほかのプロセッサエンティティに用いられて行う。好ましくは、該プロセスはマスタプロセッサエンティティが行う図１に示された補償データ電圧の手順の前のいずれの時間において実現することができる。好ましくは、閾値電圧値を取得するプロセスと第１モニタ電圧を取得するプロセスは、実行するある時間範囲内において実現でき、プロセスにおけるタイミング優先度を固定する必要がない。好ましくは、第１モニタ電圧を取得するプロセスと第２モニタ電圧を取得するプロセスも実行するある時間範囲内において実現でき、プロセスにおけるタイミング優先度を固定する必要がない。好ましくは、テスト電圧を印加する前のいずれの時間に、第１モニタ電圧を取得用の駆動トランジスタのゲート電極に印加するテスト電圧において使用する閾値電圧を取得することができる。好ましくは、テスト電圧を印加して第１モニタ電圧の更新される閾値電圧を取得するプロセスの前、第２設定電圧を駆動トランジスタのゲート電極に印加して更新される閾値電圧を取得するプロセスを行い、これは、毎回行う必要がない。
【００５５】
図６は本発明のもう１つの実施形態における操作画素回路によるタイミング図である。図６は、図３における画素回路を示す例として説明されている。画素回路の操作ステップは、第４時刻t４の前、第１行走査線Ｅ１と第２行走査線Ｅ２に印加する電圧信号を制御し、第１トランジスタＴ１と第２トランジスタＴ２をそれぞれ導通させる。それから、もう一つの操作ステップはデータ線ＤＬを通して駆動トランジスタＴ０のゲート電極に第２設定電圧を印加する。第４時刻ｔ４において、センシング・ラインＳＬがフローティング状態に設定され、バイアス電圧線ＶＤＤを流れ駆動トランジスタＴ０の第１極と第２極、さらに第２トランジスタＴ２の第１極と第２極を通過する電流にセンシング・ラインＳＬに充電させる。有機発光ダイオードＤ１に電流が通過しない場合、上記充電プロセスは駆動トランジスタＴ０の第２電極の電圧レベルを駆動トランジスタが遮断されるまでだんだん高く押し上げられる。それから、駆動トランジスタＴ０のゲート電極と第２極の間の電圧差を駆動トランジスタの閾値電圧に等しい一定値を保つ。第４時刻ｔ４の後のもう１つ時刻t５はセンシング・ライン上の電圧値は第２行走査線Ｅ２に印加する電圧信号が導通信号からオフ信号に切り替えた時刻に定義される。ｔ５とｔ４時刻において、第２時間帯はｔ５-ｔ４と定義される。第２時間帯を十分長く設定することによって、印加する第２設定電圧の充電されたセンシング・ラインの電圧値を読み取ることで第２モニタ電圧にすることができる。第２設定電圧を利用することで第２モニタ電圧を減らせ、駆動トランジスタの閾値電圧を取得することができる。好ましくは、上記プロセスにおいて少なくとももう１つの電流が有機発光ダイオードＤ１に流れない形態を確保することは、トランジスタを増やして駆動トランジスタＴ０の第２極と有機発光ダイオードＤ１の第１極との接続を切断することである。ほかの選択も可能である。
【００５６】
従って、上記表示装置を駆動する画素回路の操作ステップに基づいて、画素回路における駆動トランジスタ閾値電圧の値を取得することができる。また、データ電圧補償の方法では閾値電圧を利用して、同じ画素回路に印加したデータ電圧を補償することができる。表示装置におけるアレイ状で配列される複数の画素回路に対して、対応する行/列アドレスに基づいて各行の画素回路における閾値電圧の値を１つずつ取得することができる。また、各単独の画素回路に対して、駆動トランジスタのゲート電極に第２設定電圧を印加することを通して第２モニタ電圧を取得する上記プロセスの期間において、各対応するセンシング・ラインから読み取った電圧値は、システム誤差やノイズ信号を除去して精度が改善された最終的な閾値電圧取得するために補正されることもある。
【００５７】
データ電圧補償方法及びデータ電圧補償を利用して表示装置を駆動する方法においては、トリガ条件が満たされるたびに、閾値電圧の値と第１モニタ電圧の値を絶えず更新できる。データ電圧補償方法の中において画素回路に印加するデータ電圧に対して補償を行うステップは、閾値電圧の最新更新値と最新操作中で取得した第１モニタ電圧を利用して行うことができる。複数の画素回路中における１つの画素回路に対応する各駆動トランジスタに関連するデータ電圧補償パラメータを監視するステップは、トリガ条件が満たされる度に少なくとも一回行うことができる。
【００５８】
１つの実施例において、データ電圧補償パラメータを監視するステップは表示装置の各フレーム画像に対して表示する前の第１時刻に一回行うことができる。このことは各フレーム画像中に補償パラメータを監視する時刻を設定することに相当する。該ステップを行うことで画像のフレーム内でデータ電圧の補償を行う第１モニタ電圧及び/又は第２モニタ電圧を生じさせることができる。好ましくは、データ電圧補償パラメータを監視するステップは表示装置の各nフレーム画像に対して表示する前の第１時刻に一回行うことができる。該ステップは第１時刻の後に表示する次のnフレーム画像の時間帯でデータ電圧の補償を行う第１モニタ電圧及び/又は第２モニタ電圧を生じさせることができる。ここで、nは１より大きいか等しい正の整数であってもよい。換言すれば、データ電圧補償パラメータを監視する更新サイクルは、表示サイクルに依存する。もちろん、データ電圧補償パラメータを監視する更新サイクルは、表示サイクルに依存しなくてもよい。例えば、データ電圧補償パラメータを監視する更新サイクルは、タイマで設定でき、例えば一日または一週間である。表示装置は、タイマにおいていまの時間からサイクルを開始した後の第２時刻でデータ電圧補償パラメータを監視するステップを一回行うように、プログラミングされることができる。取得した第１モニタ電圧及び/又は第２モニタ電圧の値を利用してタイマで設定したサイクル内のデータ電圧を補償することができる。
【００５９】
もう１つの実施例において、データ電圧補償パラメータを監視するステップは表示装置を起動する際に第１時刻に一回行うことができる。該ステップを行うことで次回更新前データ電圧補償を行う第１モニタ電圧及び/又は第２モニタ電圧を生じさせることができる。もう１つの実施例において、データ電圧補償パラメータを監視するステップは表示装置がクローズ指令を受信した際に第１時刻に一回行うことができる。該ステップを行うことで次回更新の前にデータ電圧補償を行う第１モニタ電圧及び/又は第２モニタ電圧を生じさせることができる。もう１つの実施例において、データ電圧補償パラメータを監視するステップは表示装置が制御指令を受信してデータ補償パラメータの更新を触発する際に第１時刻に一回行うことができる。制御指令はユーザ入力又は表示装置内のほかの装置又は表示装置外部の外部装置から来てもかまわない。該ステップを行うことは次回更新の前にデータ電圧補償を行う第１モニタ電圧及び/又は第２モニタ電圧を生じることができる。従来、上記実施例におけるすべてのトリガ条件に可能な任意組み合わせを実行することによって、閾値電圧と第１モニタ電圧の更新値を取得するステップを行え、表示装置における各画素回路に対して単独にデータ電圧補償の実行が容易になる。
【００６０】
2020519911.tif 000005
【００６１】
2020519911.tif 000006
【００６２】
定数値aを設定する実施例において、補償後のデータ電圧Vcpを取得する算出プランに基づいて、表示装置のサンプルを選択してテストを行うことができる。目標補償効果に対応するＶcpの値、Ｖs1とLの算出値、及びVthの測定値を用いて、aの値を算出し且つ設定して同様タイプの表示装置の全てのデータ電圧の補償に使う。
【００６３】
好ましくは、上記設定した定数aは駆動表示装置における対応する同色の光を発する全ての画素回路に用いる。表示装置の一般的な操作プロセスにおいて、依然としてaの値を調整できる。また、表示装置における対応する同色の光を発する各画素回路に関連するほかのパラメータは第１時間帯（センシング・ラインに充電用）、第１設定電圧（テスト電圧を補償用）、第２設定電圧（第２モニタ電圧を確定用）、第１パラメータと第２パラメータを含む。
【００６４】
もう一つの態様において、本発明は表示装置におけるデータ電圧の補償装置を提供し、前記表示装置は複数の画素回路を含む。前記複数の画素回路中の各画素回路は駆動トランジスタ、有機発光ダイオード（ＯＬＥＤ）及び前記駆動トランジスタ及び前記ＯＬＥＤと接続するセンシング・ラインを含む。図７は本発明のいくつかの実施形態に基づいて複数の画素回路に接続する補償装置の表示装置の概略ブロック図を示した。該補償装置は各画素回路（Ｐ.Ｃ.）に接続する補償回路を含み、単独にデータ電圧の補償を行うのに用いる。好ましくは、各Ｐ.Ｃ.は基本的に図３における１つの画素回路に類似する。補償回路は複数の画素回路中の１つの画素回路における駆動トランジスタとそれぞれ関連する閾値電圧を取得するように構成される。また、補償回路はテスト電圧を駆動トランジスタのゲート電極に印加して、センシング・ラインを第１時間帯までに充電するように構成されることで、センシング・ラインに関連する第１モニタ電圧を確定する。好ましくは、前記補償装置は制御駆動器を含み、前記制御駆動器は１つ又は複数制御電圧信号を生成させるため前記補償回路を配置してあり、前記制御電圧信号は各画素回路中の第１トランジスタＴ１と第２トランジスタＴ２を制御する１つ制御電圧信号及びデータ電圧補償操作に用いる１つ又は複数テスト電圧又は第１設定電圧を含む。好ましくは、前記補償装置はすべてのこれらの電圧信号を生成するように構成される。テスト電圧は閾値電圧と第１設定電圧の総和に設定される。また、補償回路は第１モニタ電圧と閾値電圧に基づいて画素回路に印加しようとするデータ電圧を補償するように構成される。
【００６５】
好ましくは、同色の光を発する複数サブ画素中のいくつかのサブ画素に対応するいくつかの画素回路中の各画素回路に対して、センシング・ラインに充電する第１時間帯を同じ持続時間に設定され、且つ第１設定電圧を同じ電圧に設定される。好ましくは、同色の光を発する複数サブ画素中のいくつかのサブ画素に対応するいくつかの画素回路中の各画素回路に対して、センシング・ラインに充電する第１時間帯を同じ持続時間に設定され、または第１設定電圧を同じ電圧に設定される。
【００６６】
好ましくは、毎回、第２モニタ電圧と第２設定電圧に基づいて駆動トランジスタの閾値電圧を取得する。第２モニタ電圧は第２時間帯内において第２設定電圧を駆動トランジスタのゲート電極に印加することでセンシング・ラインから電圧値を読み出す。好ましくは、前記閾値電圧は前記第２設定電圧から前記第２モニタ電圧を引いて得た値である。
【００６７】
好ましくは、トリガ条件が満たされるたびに、取得した閾値電圧及び/又は第１モニタ電圧を更新する。データ電圧補償装置における補償回路は、最新の監視操作中に取得した閾値電圧と第１モニタ電圧の更新値に基づいてデータ電圧の補償を行うように、構成される。
【００６８】
好ましくは、前記補償回路は対応するそのＯＬＥＤを駆動して同色の光を発する異なる画素回路中の異なる駆動トランジスタ閾値電圧の差異による偏差を補償するように構成される。また、補償回路は対応するそのＯＬＥＤを駆動して同色の光を発する異なる画素回路中に駆動トランジスタと関連する閾値電圧以外のほかのパラメータの差異によるもう１つ偏差を補償するように構成される。
【００６９】
他の１態様によれば、本発明は表示装置における表示駆動装置を提供し、前記表示装置は複数の画素回路を含む。前記複数の画素回路中の各画素回路は、駆動トランジスタと、有機発光ダイオード（ＯＬＥＤ）と、記駆動トランジスタ及び前記ＯＬＥＤに接続するセンシング・ラインとを含む。図７は本発明に係るいくつかの実施形態に基づいて複数の画素回路と接続する表示装置における表示駆動装置の概略ブロック図である。該表示駆動装置は複数の画素回路中の各１画素回路に接続する１つの補償回路を含む。好ましくは、各画素回路（Ｐ.Ｃ.）は、基本的に図３に説明した１つの画素回路に類似する。好ましくは、前記補償回路はモニタ回路を含む。好ましくは、前記表示駆動装置は、制御駆動器を含み、前記制御駆動器は１つ又は複数の制御電圧信号を生成し、前記制御電圧信号は各画素回路中の第１トランジスタＴ１と第２トランジスタＴ２を制御する制御電圧信号を含む。好ましくは、前記表示駆動装置は前記制御駆動器前記補償回路に接続し、且つ前記モニタ回路にさらに接続することで、データ電圧補償操作と補償パラメータ監視操作のために、１つ又は複数テスト電圧、第１設定電圧及び第２設定電圧を生成するように構成される。好ましくは、前記表示駆動装置はすべてのこれらの電圧信号を生成するように構成される。また、モニタ回路は、駆動トランジスタのゲート電極に印加するテスト電圧によって引き起こした複数の画素回路中の１つの画素回路の駆動トランジスタに接続するセンシング・ライン中の電荷を検知するように構成される。また、モニタ回路は第１時間帯内に蓄積した電荷を読出電圧に変換し、該読出電圧を画素回路のそれぞれ関連する第１モニタ電圧とするように構成される。また、モニタ回路は駆動トランジスタのゲート電極に印加する第２設定電圧によって引き起こした複数の画素回路中の１つの画素回路の駆動トランジスタに接続するセンシング・ライン中の電荷を検知し、且つ第２時間帯内に蓄積した電荷を読出電圧に変換し、該読出電圧画素回路のそれぞれ関連する第２モニタ電圧とするように構成される。第２モニタ電圧と第２設定電圧駆動トランジスタの閾値電圧を確定するのに用いる。また、モニタ回路はトリガ条件に基づいて少なくとも１回以上の監視操作を行うように構成される。前記トリガ条件は、受信した請求更新の制御指令の中から少なくとも１つの制御指令を選択すること、表示装置をオンにすること、表示装置に各nフレーム画像を表示する前の第１時刻（nは正の整数）であること、及びプログラムタイミングサイクル開始後の第２時刻であることを含む。表示駆動装置の補償回路は監視操作中に取得した最新な閾値電圧と第１モニタ電圧の更新値を利用してデータ電圧の補償を行う。
【００７０】
他の１態様によれば、本発明は表示装置を提供する。該表示装置は本文で説明したデータ信号の補償装置と本文で説明した表示駆動装置を備える。または、本発明は表示装置を提供し、該表示装置は本文で説明したデータ信号の補償装置を備える。または、本発明は表示装置を提供し、該表示装置は本文で説明した表示駆動装置を備える。好ましくは、表示装置は、スマートフォン、タブレット型コンピュータ、テレビ、表示機器、ノートパソコン、デジタルフォトフレーム、ナビゲーションまたは何れかの表示機能を有する製品や部品のうちのいずれかの１つであってもよい。
【００７１】
説明および描写を目的として本発明の上記実施形態を提供する。これは開示された形態または例示的な実施形態を列挙したものまたは限定することを意味しない。したがって、上記の叙述は説明であって制限的なものではないと考えるべきである。本分野の技術者であれば、多くの修正や変更が容易に見出せる。本実施形態の選択及び説明は本発明の原理およびその最良形態の実用を説明するためであり、本分野の技術者に本発明の各実施形態や予測できる特定な用途に適応する又は実現できる各種の変更例を理解させることにある。
【００７２】
本発明の意図する範囲は、請求項の範囲およびその均等物によって限定され、特に断らない限り、すべての用語はみなその最も広い合理的な意味で示される。したがって、用語“発明”、“本発明”などは必ずしも請求項の範囲を特定の実施形態に制限され、且つ本発明の例示的な実施形態を参照することは本発明の制限を意味するものではなく、且つ、そのような制限を推定できるものでもない。本発明は請求項の趣旨と範囲だけによって限定される。また、これらの請求項は名詞または素子の後に置かれる“第１”、“第２”などを使用するかもしれない。このような用語は命名だと理解すべきであり、具体的な数がない限り、このような命名により修飾された素子の数を限定すると解釈されるものではない。説明したどのような効果や利点は本発明の全ての実施形態に適用できない可能性がある。なお、請求項に記載された本発明の範囲を逸脱しない場合は、本分野の技術者が説明した実施形態に対して変更することができる。また、以下の請求項の範囲に該素子や部品を明確に記載されているか否かにかかわらず、本発明の全ての素子及び部品は無償に公衆に提出されるものではない。
【００７３】
本発明は２０１７年５月１２日に出願した中国特許の出願Ｎｏ.２０１７１０３３６０９４.３と２０１７年８月２５日に出願した中国特許の出願Ｎｏ.２０１７１０７４４９５０.９の優先権を主張する。様々な目的により、各前述特許の出願は全体の援用を通して本文に組み込まれる。
【図１】
2020519911.tif 000007
【図２】
2020519911.tif 000008
【図３】
2020519911.tif 000009
【図４】
2020519911.tif 000010
【図５】
2020519911.tif 000011
【図６】
2020519911.tif 000012
【図７】
2020519911.tif 000013
【国際調査報告】
2020519911.tif 000014
2020519911.tif 000015
2020519911.tif 000016